(57)【要約】【課題】利用者が動作させようとする自装置の姿勢を精度良く検出又は予測し、低消費電力モードから通常モードへ切り替える。【解決手段】撮像手段３，４，５と、通常モード又は低消費電力モードの設定が可能であり、通常モードが設定されている場合には撮像手段３，４，５が撮像するために必要な電力を撮像部３，４，５に供給し、低消費電力モードが設定されている場合には撮像手段３，４，５に待機電力を供給する電力供給部６と、所定の時間間隔でビデオカメラ１の姿勢を検出する姿勢検出部７と、姿勢情報の記憶が要求された場合に姿勢情報を記憶する姿勢記憶部９と、検出された姿勢情報の値と姿勢記憶部９に記憶された姿勢情報の値との差が所定の閾値以内であるか否かを判定する比較部１０と、姿勢情報の差分値が所定の閾値以内であると判定された場合に、電力供給部６に通常モードを設定する電源モード切り替え部１１とを備える。【選択図】図１
2009246424.tif 000002
【特許請求の範囲】
【請求項１】
光学系から入射された光を電気信号へ変換する撮像素子を備え、外部より供給される操作信号に基づいて撮影を行う撮影手段と、
通常モード又は低消費電力モードの設定が可能であり、前記通常モードが設定されている場合には前記撮影手段が撮影するために必要な電力を前記撮影手段に供給し、前記低消費電力モードが設定されている場合には前記撮影手段に前記通常モード時に供給する電力より少ない待機電力を供給する電力供給手段と、
所定の時間間隔で、当該電子撮像装置の姿勢の状態を示す第１の値を検出する姿勢検出手段と、
前記通常モード時において、当該電子撮像装置の姿勢の記憶を要求する操作信号が外部より供給された場合、その時点で前記姿勢検出手段が検出した前記第１の値を第２の値として記憶する姿勢記憶手段と、
前記姿勢検出手段により前記所定の時間間隔で検出される前記第１の値と、前記姿勢記憶手段に記憶された前記第２の値との差が所定の閾値以内であるか否かを判定する比較手段と、
前記第１の値と前記第２の値との差が所定の閾値以内であると判定された場合に、前記電力供給手段に前記通常モードを設定する電源モード切り替え手段と、
を備えたことを特徴とする電子撮像装置。
【請求項２】
前記姿勢検出手段により検出される連続する所定数分の前記第１の値を第３の値として順次記憶すると共に、この記憶された所定数分の前記第３の値に基づいて、所定時間後における当該電子撮像装置の姿勢の状態を示す第４の値を前記所定の時間間隔で算出する姿勢予測手段、を更に備え、
前記比較手段は、
前記姿勢予測手段により前記所定の時間間隔で算出される前記第４の値と、前記姿勢記憶手段に記憶された前記第２の値との差が所定の閾値以内であるか否かを判定する
ことを特徴とする請求項１記載の電子撮像装置。
【請求項３】
画像を表示する表示パネルを備える表示部と、
通常モード又は低消費電力モードの設定が可能であり、前記通常モードが設定されている場合には前記表示パネルが画像を表示するために必要な電力を前記表示部に供給し、前記低消費電力モードが設定されている場合には前記表示部に前記通常モード時に供給する電力より少ない待機電力を供給する電力供給手段と、
所定の時間間隔で、当該電子装置の姿勢の状態を示す第１の値を検出する姿勢検出手段と、
前記通常モード時において、当該電子装置の姿勢の記憶を要求する操作信号が外部より供給された場合、その時点で前記姿勢検出手段が検出した前記第１の値を第２の値として記憶する姿勢記憶手段と、
前記姿勢検出手段により前記所定の時間間隔で検出される前記第１の値と、前記姿勢記憶手段に記憶された前記第２の値との差が所定の閾値以内であるか否かを判定する比較手段と、
前記第１の値と前記第２の値との差が所定の閾値以内であると判定された場合に、前記電力供給手段に前記通常モードを設定する電源モード切り替え手段と、
を備えたことを特徴とする電子装置。
【請求項４】
前記姿勢検出手段により検出される連続する所定数分の前記第１の値を第３の値として順次記憶すると共に、この記憶された所定数分の前記第３の値に基づいて、所定時間後における当該電子装置の姿勢の状態を示す第４の値を前記所定の時間間隔で算出する姿勢予測手段、を更に備え、
前記比較手段は、
前記姿勢予測手段により前記所定の時間間隔で算出される前記第４の値と、前記姿勢記憶手段に記憶された前記第２の値との差が所定の閾値以内であるか否かを判定する
ことを特徴とする請求項３記載の電子装置。
【発明の詳細な説明】
【技術分野】
【０００１】
本発明は、利用者が動作させようとする自装置の姿勢を精度良く検出又は予測し、低消費電力モードから通常モードへ切り替えることができる電子撮像装置及び電子装置に関する。
【背景技術】
【０００２】
近年、ビデオカメラやポータブルプレーヤ等の携帯型電子装置が普及している。
【０００３】
このような携帯型電子装置には、消費電力を節約するため、利用者が操作を行っていない場合、給電を停止したり、又は通常モードから低消費電力モードに切り替えたりする電力モード切り替え機能を有するものもある。
【０００４】
しかしながら、電力モード切り替え機能を有する携帯型電子装置では、利用者が操作を行っていない間、給電が停止されているか、又は低消費電力モードに切り替えられているので、利用者が操作を行おうとした場合、通常モードに復旧するまでに相当の時間を要し、利用者に不快感を与えていた。特に、利用者が電力モード切り替え機能を有するビデオカメラを利用している場合、通常モードに復旧するまでの間のシーンを撮り損なうこともあった。
【０００５】
そこで、特許文献１に記載の撮影装置には、撮像装置の移動加速度を検出する２つの加速度センサと、この２つの加速度センサによる検出結果に基づいて撮像装置が撮影状態であるか非撮影状態であるかを判別する撮影状態判別手段と、該撮影状態判断手段による判別結果に基づいて撮像装置における所定機能部分の作動・停止を切り換え制御する機能動作制御手段と、を含む技術が提案されている。具体的には、２つの加速度センサが検出した検出値が比較的近く、絶対値が小さい場合には、撮影状態であると推定し、２つの加速度センサが検出した検出値が比較的離れており、絶対値が大きい場合には、非撮影状態であると推定する。
【特許文献１】特開平５−２９２３５９号公報
【発明の開示】
【発明が解決しようとする課題】
【０００６】
しかしながら、特許文献１に記載の技術では、この２つの加速度センサによる検出結果のみに基づいて撮像装置が撮影状態であるか非撮影状態であるかを判別するので、必ずしも利用者が撮影を行おうとする状態を精度良く検出できない場合があった。例えば、利用者は撮影を行おうとしていないが、撮像装置をあまり動かしていないような場合、特許文献１に記載の技術では、撮影状態と判別する場合があり、このような場合無駄に電力を消費してしまうことがあった。
【０００７】
本発明は、上記課題に鑑みてなされたものであり、利用者が動作させようとする自装置の姿勢を精度良く検出又は予測し、低消費電力モードから通常モードへ切り替えることができる電子撮像装置及び電子装置を提供することを目的とする。
【課題を解決するための手段】
【０００８】
上記目的を達成するため、本発明に係る電子撮像装置の第１の特徴は、光学系（２）から入射された光を電気信号へ変換する撮像素子（３）を備え、外部より供給される操作信号に基づいて撮影を行う撮影手段（２，３，４，５）と、通常モード又は低消費電力モードの設定が可能であり、前記通常モードが設定されている場合には前記撮影手段（２，３，４，５）が撮影するために必要な電力を前記撮影手段（２，３，４，５）に供給し、前記低消費電力モードが設定されている場合には前記撮影手段（２，３，４，５）に前記通常モード時に供給する電力より少ない待機電力を供給する電力供給手段（６）と、所定の時間間隔で、当該電子撮像装置（１）の姿勢の状態を示す第１の値を検出する姿勢検出手段（７）と、前記通常モード時において、当該電子撮像装置（１）の姿勢の記憶を要求する操作信号が外部より供給された場合、その時点で前記姿勢検出手段（７）が検出した前記第１の値を第２の値として記憶する姿勢記憶手段（９）と、前記姿勢検出手段（７）により前記所定の時間間隔で検出される前記第１の値と、前記姿勢記憶手段（９）に記憶された前記第２の値との差が所定の閾値以内であるか否かを判定する比較手段（１０）と、前記第１の値と前記第２の値との差が所定の閾値以内であると判定された場合に、前記電力供給手段（６）に前記通常モードを設定する電源モード切り替え手段（１１）とを備えたことにある。
【０００９】
上記目的を達成するため、本発明に係る電子撮像装置（１Ａ）の第２の特徴は、前記姿勢検出手段（７）により検出される連続する所定数分の前記第１の値を第３の値として順次記憶すると共に、この記憶された所定数分の前記第３の値に基づいて、所定時間後における当該電子撮像装置（１Ａ）の姿勢の状態を示す第４の値を前記所定の時間間隔で算出する姿勢予測手段（１３）、を更に備え、前記比較手段（１０Ａ）は、前記姿勢予測手段（１３）により前記所定の時間間隔で算出される前記第４の値と、前記姿勢記憶手段（９）に記憶された前記第２の値との差が所定の閾値以内であるか否かを判定することにある。
【００１０】
上記目的を達成するため、本発明に係る電子装置（１Ｂ）の第１の特徴は、画像を表示する表示パネル（１２）を備える表示部（１２，１４，５）と、通常モード又は低消費電力モードの設定が可能であり、前記通常モードが設定されている場合には前記表示パネル（１２）が画像を表示するために必要な電力を前記表示部（１２，１４，５）に供給し、前記低消費電力モードが設定されている場合には前記表示部（１２，１４，５）に前記通常モード時に供給する電力より少ない待機電力を供給する電力供給手段（１５）と、所定の時間間隔で、当該電子装置（１Ｂ）の姿勢の状態を示す第１の値を検出する姿勢検出手段（７）と、前記通常モード時において、当該電子装置（１Ｂ）の姿勢の記憶を要求する操作信号が外部より供給された場合、その時点で前記姿勢検出手段（７）が検出した前記第１の値を第２の値として記憶する姿勢記憶手段（９）と、前記姿勢検出手段（７）により前記所定の時間間隔で検出される前記第１の値と、前記姿勢記憶手段（９）に記憶された前記第２の値との差が所定の閾値以内であるか否かを判定する比較手段（１０）と、前記第１の値と前記第２の値との差が所定の閾値以内であると判定された場合に、前記電力供給手段（１５）に前記通常モードを設定する電源モード切り替え手段（１１）とを備えたことにある。
【００１１】
上記目的を達成するため、本発明に係る電子装置の第２の特徴は、前記姿勢検出手段（７）により検出される連続する所定数分の前記第１の値を第３の値として順次記憶すると共に、この記憶された所定数分の前記第３の値に基づいて、所定時間後における当該電子装置の姿勢の状態を示す第４の値を前記所定の時間間隔で算出する姿勢予測手段（１３）、を更に備え、前記比較手段（１０Ａ）は、前記姿勢予測手段（１３）により前記所定の時間間隔で算出される前記第４の値と、前記姿勢記憶手段（９）に記憶された前記第２の値との差が所定の閾値以内であるか否かを判定することにある。
【発明の効果】
【００１２】
本発明に係る電子撮像装置及び電子装置によれば、利用者が動作させようとする自装置の姿勢を精度良く検出又は予測し、低消費電力モードから通常モードへ切り替えることができる。
【発明を実施するための最良の形態】
【００１３】
以下、本発明を実施するための最良の形態について図面を参照して説明する。
【実施例１】
【００１４】
本発明の実施例１では、現状の姿勢に基づいて通常モードと低消費電力モードとを切り替える撮像電子装置が適用されたビデオカメラについて説明する。
【００１５】
≪ビデオカメラの構成≫
図１は、本発明の実施例１の撮像電子装置が適用されたビデオカメラの構成を示す構成図である。
【００１６】
図１に示すように、本発明の実施例１の撮像電子装置が適用されたビデオカメラ１は、光学レンズ２と、撮像素子部３と、ＭＰＥＧエンコーダ４と、ドライブ５と、電力供給部６と、姿勢検出部７と、ユーザインタフェース部８と、姿勢記憶部９と、比較部１０と、電源モード切り替え部１１とを備える。
【００１７】
光学レンズ２は、撮影すべき画像の画像光を撮像素子部３に集光させる。
【００１８】
撮像素子部３は、光学レンズ２により集光された画像光を電気信号に変換する。なお、光学レンズ２は、レンズを駆動する為の駆動部を備える。
【００１９】
ＭＰＥＧエンコーダ４は、撮像素子部３により変換された電気信号に対して、エンコード、即ちデジタル圧縮処理を行い、ストリーム情報を生成する。
【００２０】
ドライブ５は、例えば、光ディスクが挿入されると、この挿入された光ディスクにストリーム情報を書き込んだり、光ディスクに記録されたストリーム情報を読み出したりする。
【００２１】
電力供給部６は、光学レンズ２、撮像素子部３、ＭＰＥＧエンコーダ４、及びドライブ５に、電力を供給する。また、電力供給部６は、通常モード又は低消費電力モードの設定が可能であり、通常モードが設定されている場合には光学レンズ２、撮像素子部３、ＭＰＥＧエンコーダ４、及びドライブ５が通常動作をするために必要な電力をそれぞれ光学レンズ２、撮像素子部３、ＭＰＥＧエンコーダ４、及びドライブ５に供給し、低消費電力モードが設定されている場合には光学レンズ２、撮像素子部３、ＭＰＥＧエンコーダ４、及びドライブ５にそれぞれ待機電力を供給する。
【００２２】
ここで、通常モードとは、光学レンズ２、撮像素子部３、ＭＰＥＧエンコーダ４、及びドライブ５が通常動作する上で必要な電力を供給するために設定するモードであり、例えば、ドライブ５が、回転記憶媒体の書き込み及び読み出し装置である場合、回転記憶媒体を回転駆動している状態を通常モードとし、回転駆動媒体の回転を停止している状態を低消費電力モードとしてもよいし、ドライブ５が、ＭＰＥＧエンコーダ４により生成されたストリーム情報を記録する状態を通常モードとし、ＭＰＥＧエンコーダ４により生成されたストリーム情報を記録していない状態を低消費電力モードとしてもよい。
【００２３】
いずれにしても、低消費電力モードでは、通常モード時に供給する電力よりも少ない電力（待機電力）が供給される。
【００２４】
さらに、ＭＰＥＧエンコーダ４がエンコードしている状態を通常モードとし、ＭＰＥＧエンコーダ４がエンコードしていない状態を低消費電力モードとしてもよい。
【００２５】
なお、姿勢検出部７と、ユーザインタフェース部８と、姿勢記憶部９と、比較部１０と、電源モード切り替え部１１とは、常に電力が供給されているものとする。
【００２６】
姿勢検出部７は、電力供給部６が低消費電力モードに設定されている場合に、所定の時間間隔で、ビデオカメラ１の姿勢を検出し、検出した姿勢を姿勢情報として姿勢記憶部９及び比較部１０へ供給する。具体的には、姿勢検出部７は、水準器を備えており、この水準器により測定した傾き角を姿勢情報として、姿勢記憶部９及び比較部１０へ供給する。
【００２７】
ユーザインタフェース部８は、利用者の操作に基づいて操作信号を生成し、生成した操作信号を姿勢検出部７、姿勢記憶部９、及び電源モード切り替え部１１へ供給する。
【００２８】
姿勢記憶部９は、不揮発性半導体メモリ等の記憶媒体を備えており、通常モード時において、ビデオカメラ１の姿勢情報の記憶を要求する操作信号がユーザインタフェース部８より供給された場合、その時点の直前に姿勢検出部７により供給された姿勢情報を記憶する。
【００２９】
比較部１０は、姿勢検出部７から供給された姿勢情報と、姿勢記憶部９に記憶された姿勢情報との差が所定の閾値以内であるか否かを判定する。
【００３０】
電源モード切り替え部１１は、姿勢情報の差が所定の閾値以内であると判定された場合に、電力供給部６に通常モードを設定する。
【００３１】
≪ビデオカメラ１の作用≫
以下に、本発明の実施例１の撮像電子装置が適用されたビデオカメラ１の作用について説明する。
【００３２】
図２は、本発明の実施例１の撮像電子装置が適用されたビデオカメラ１の処理フローを示したフローチャートである。
【００３３】
図２に示すように、電源モード切り替え部１１により電力供給部６が通常モードに設定されている場合に（ステップＳ１０１）、利用者により姿勢情報の記憶を要求する操作が行われると、ユーザインタフェース部８は、姿勢情報の記憶を要求する操作信号を生成し、この生成された操作信号を姿勢検出部７及び姿勢記憶部９へ供給する（ステップＳ１０２）。
【００３４】
姿勢検出部７は、ユーザインタフェース部８から姿勢情報の記憶を要求する操作信号が供給されると、その供給された時点での傾き角を測定し、この傾き角を姿勢情報として姿勢記憶部９へ供給する。
【００３５】
そして、姿勢記憶部９は、ユーザインタフェース部８から姿勢情報の記憶を要求する操作信号が供給されると、姿勢検出部７から供給される姿勢情報を記憶する（ステップＳ１０３）。
【００３６】
次に、利用者により低消費電力モードへの設定変更を要求する操作が行われると、ユーザインタフェース部８は、低消費電力モードへの設定変更を要求する操作信号を生成し、この生成された操作信号を電源モード切り替え部１１及び姿勢検出部７へ供給する（ステップＳ１０４）。
【００３７】
そして、電源モード切り替え部１１は、ユーザインタフェース部８から低消費電力モードへの設定変更を要求する操作信号が供給されると、電力供給部６に低消費電力モードを設定する（ステップＳ１０５）。
【００３８】
次に、ユーザインタフェース部８から低消費電力モードへの設定変更を要求する操作信号が供給された姿勢検出部７は、姿勢検出処理を開始する（ステップＳ１０６）。具体的には、姿勢検出部７は、内部に備えた水準器により、所定の時間間隔でビデオカメラ１の傾き角を測定し、測定した傾き角を姿勢情報とし、この姿勢情報を所定の時間間隔で比較部１０へ供給する。
【００３９】
ここで、この所定の時間間隔は、長すぎると後述する比較部１０による判定が遅くなるので、適切に通常モードへ変更できなくなり、短すぎると装置負荷が大きくなる。そのため、例えば０．１秒といったように、予め提供者等が実測に基づいた適正な値を設定しておく必要がある。
【００４０】
次に、比較部１０は、姿勢検出部７から姿勢情報が供給されると（ステップＳ１０７）、この姿勢検出部７から供給された姿勢情報の値と、姿勢記憶部９に記憶された姿勢情報の値との差を算出し、この算出された姿勢情報の差分値が所定の閾値以内であるか否かを判定する（ステップＳ１０８）。
【００４１】
ここで、この閾値は、高すぎると利用者が撮影しようとしていない状態、即ちビデオカメラ１が非撮影姿勢の状態のときに、通常モードに設定を変更する場合があり、低すぎると利用者が撮影しようとする状態、即ちビデオカメラ１が撮影姿勢の状態のときに、低消費電力モードに設定が変更されない場合がある。そのため、予め提供者等が実測に基づいた適正な値を予め算出し、設定しておく必要がある。
【００４２】
そして、電源モード切り替え部１１は、ステップＳ１０８において、比較部１０により姿勢情報の差が所定の閾値以内であると判定された場合に、電力供給部６に通常モードを設定する（ステップＳ１０９）。
【００４３】
このように、本発明の実施例１の撮像電子装置が適用されたビデオカメラ１によれば、姿勢検出器７により所定の時間間隔で測定される姿勢情報と、姿勢記憶部９に記憶された利用者所望の時点における姿勢情報とに基づいて、低消費電力モードから通常モードへ切り替えるので、利用者が撮影しようとする状態、即ち撮影姿勢を精度良く検出し、低消費電力モードから通常モードへ切り替えることができる。
【００４４】
これにより、利用者は、素早くビデオカメラ１を用いて撮影を開始できるので、通常モードに復旧するまでの間のシーンを撮り損なうことなく、利用者所望の映像を撮影することができる。
【００４５】
なお、本発明の実施例１の撮像電子装置が適用されたビデオカメラ１では、利用者により低消費電力モードへの設定変更を要求する操作が行われると、電源モード切り替え部１１が電力供給部６に低消費電力モードを設定したが、電源モード切り替え部１１が、ユーザインタフェース部８から所定の時間、操作信号が供給されない場合、自動的に電力供給部６に低消費電力モードを設定するようにしてもよい。
【００４６】
図３（ａ）は、ビデオカメラ１の撮影姿勢を模式的に示した図であり、図３（ｂ）は、ビデオカメラ１の非撮影姿勢を模式的に示した図である。
【００４７】
図３（ａ）に示すように、利用者Ａは、ビデオカメラ１が通常モードに設定されている状態で木Ｃの撮影の撮影を行い、木Ｃの撮影を終えると、ビデオカメラ１のＢ位置において、ユーザインタフェース部８からビデオカメラ１のＢ位置の姿勢情報の記憶を要求する操作を行う。
【００４８】
この操作が行われると、ユーザインタフェース部８は、姿勢記憶部９へ姿勢情報の記憶を要求する操作信号を供給し、操作信号が供給された姿勢記憶部９は、姿勢検出部７から供給されたＢ点における姿勢情報を記憶する。
【００４９】
次に、利用者Ａは、ユーザインタフェース部８から低消費電力モードへの設定変更を要求する操作を行う。
【００５０】
そして、この操作が行われると、ユーザインタフェース部８は、低消費電力モードへの設定変更を要求する操作信号を生成し、この生成された操作信号を電源モード切り替え部１１及び姿勢検出部７へ供給する。
【００５１】
これにより、電源モード切り替え部１１は電力供給部６に低消費電力モードを設定し、姿勢検出部７は姿勢検出処理を開始する。
【００５２】
その後、図３（ｂ）に示すように、利用者Ａは、ビデオカメラ１のＥ位置のような姿勢において、ビデオカメラ１を待機させる。
【００５３】
そして、利用者Ａは、再度、撮影対象である木Ｃを撮影する際、ビデオカメラ１を、図３（ｂ）に示したＥ位置から図３（ａ）に示したＢ位置へと移動させる。
【００５４】
このとき、ビデオカメラ１は、姿勢検出器７により所定の時間間隔で測定される姿勢情報と、姿勢記憶部９に記憶された利用者所望の時点における姿勢情報との差分値が所定の閾値以内であると判定した場合、低消費電力モードから通常モードへ切り替える。
【００５５】
これにより、ビデオカメラ１は、撮影姿勢になった場合に低消費電力モードから通常モードへ切り替えることができる。
【実施例２】
【００５６】
本発明の実施例１では、現状の姿勢に基づいて通常モードと低消費電力モードとを切り替える撮像電子装置が適用されたビデオカメラ１について説明した。本発明の実施例２では、所定時間後の姿勢を予測し、この予測された姿勢に基づいて通常モードと低消費電力モードとを切り替える撮像電子装置が適用されたビデオカメラについて説明する。
【００５７】
≪ビデオカメラの構成≫
図４は、本発明の実施例２の撮像電子装置が適用されたビデオカメラの構成を示す構成図である。
【００５８】
図４に示すように、本発明の実施例２の撮像電子装置が適用されたビデオカメラ１Ａは、光学レンズ２と、撮像素子部３と、ＭＰＥＧエンコーダ４と、ドライブ５と、電力供給部６と、姿勢検出部７と、ユーザインタフェース部８と、姿勢記憶部９と、比較部１０Ａと、電源モード切り替え部１１と、姿勢予測部１３とを備える。
【００５９】
ここで、ビデオカメラ１Ａが備える構成のうち、光学レンズ２と、撮像素子部３と、ＭＰＥＧエンコーダ４と、ドライブ５と、電力供給部６と、姿勢検出部７と、ユーザインタフェース部８と、姿勢記憶部９と、電源モード切り替え部１１とは、それぞれ本発明の実施例１の撮像電子装置が適用されたビデオカメラ１が備えるそれぞれ同一符号が付された構成と同一であるので、説明を省略する。
【００６０】
比較部１０Ａは、姿勢予測手段１３により算出された姿勢情報の値と、姿勢記憶部９に記憶された姿勢情報の値との差分値が所定の閾値以内であるか否かを判定する。
【００６１】
姿勢予測部１３は、内部に一時記憶手段を備えており、姿勢検出部７により所定の時間間隔で検出された例えば３つの姿勢情報を記憶する。具体的には、姿勢予測部１３は、姿勢検出部７から供給された姿勢情報を、供給された時刻に関連づけて一時記憶手段に順に記憶し、この時刻が新しいものから常に３つを残すように、時刻が古くなった姿勢情報を削除する。
【００６２】
また、姿勢予測部１３は、この記憶された３つの姿勢情報の値に基づいて、所定時間後におけるビデオカメラ１Ａの姿勢情報の値を算出する。なお、姿勢予測部１３による姿勢情報の値の算出方法については、後述する。
【００６３】
≪ビデオカメラ１Ａの作用≫
以下に、本発明の実施例２の撮像電子装置が適用されたビデオカメラ１Ａの作用について説明する。
【００６４】
図５は、本発明の実施例２の撮像電子装置が適用されたビデオカメラ１Ａの処理フローを示したフローチャートである。
【００６５】
図５に示すように、電源モード切り替え部１１により電力供給部６が通常モードに設定されている場合に（ステップＳ２０１）、利用者により姿勢情報の記憶を要求する操作が行われると、ユーザインタフェース部８は、姿勢情報の記憶を要求する操作信号を生成し、この生成された操作信号を姿勢検出部７及び姿勢記憶部９へ供給する（ステップＳ２０２）。
【００６６】
姿勢検出部７は、ユーザインタフェース部８から姿勢情報の記憶を要求する操作信号が供給されると、その供給された時点での傾き角を測定し、この傾き角を姿勢情報として姿勢記憶部９へ供給する。
【００６７】
そして、姿勢記憶部９は、ユーザインタフェース部８から姿勢情報の記憶を要求する操作信号が供給されると、姿勢検出部７から供給される姿勢情報を記憶する（ステップＳ２０３）。
【００６８】
次に、利用者により低消費電力モードへの設定変更を要求する操作が行われると、ユーザインタフェース部８は、低消費電力モードへの設定変更を要求する操作信号を生成し、この生成された操作信号を電源モード切り替え部１１及び姿勢検出部７へ供給する（ステップＳ２０４）。
【００６９】
そして、電源モード切り替え部１１は、ユーザインタフェース部８から低消費電力モードへの設定変更を要求する操作信号が供給されると、電力供給部６に低消費電力モードを設定する（ステップＳ２０５）。
【００７０】
次に、ユーザインタフェース部８から低消費電力モードへの設定変更を要求する操作信号が供給された姿勢検出部７は、姿勢検出処理を開始する（ステップＳ２０６）。具体的には、姿勢検出部７は、内部に備えた水準器により、所定の時間間隔でビデオカメラ１の傾き角を測定し、測定した傾き角を姿勢情報とし、この姿勢情報を所定の時間間隔で姿勢予測部１３へ供給する。
【００７１】
ここで、この所定の時間間隔は、長すぎると後述する比較部１０Ａによる判定が遅くなるので、適切に通常モードへ変更できなくなり、短すぎると装置負荷が大きくなる。そのため、例えば０．１秒といったように、予め提供者等が実測に基づいた適正な値を設定しておく。
【００７２】
次に、姿勢予測部１３は、姿勢検出部７から姿勢情報が供給されると（ステップＳ２０７）、所定時間後のビデオカメラ１の姿勢を予測する（ステップＳ２０８）。具体的には、姿勢予測部１３は、姿勢検出部７から供給された所定数分の姿勢情報を記憶しており、この記憶された所定数分の姿勢情報の値に基づいて、所定時間後におけるビデオカメラ１Ａの姿勢情報の値を算出する。
【００７３】
図６（ａ），（ｂ）は、姿勢予測部１３による所定時間後におけるビデオカメラ１Ａの姿勢情報の値の算出処理を説明した図である。
【００７４】
図６（ａ）は、利用者が撮影しようとしていない状態、即ちビデオカメラ１Ａが非撮影姿勢の状態で保持されている場合を示しており、図６（ｂ）は、利用者が撮影しようとする状態、即ちビデオカメラ１Ａが撮影姿勢へ移動している場合を示している。
【００７５】
図６（ａ）に示すように、姿勢予測部１３は、ｔ３時点において、姿勢検出部７からｃ点の姿勢情報が供給されると、この供給されたｃ点の姿勢情報を記憶すると共に、ｔ１時点〜ｔ３時点までの姿勢情報であるａ，ｂ，ｃ点の３点の姿勢情報の値の推移状況に基づいて、所定時間後のｔ４時点におけるｄ点の姿勢情報の値を算出する。
【００７６】
また、図６（ｂ）においては、姿勢予測部１３は、ｔ７時点において、姿勢検出部７からｇ点の姿勢情報が供給されると、この供給されたｇ点の姿勢情報を記憶すると共に、ｔ５時点〜ｔ７時点までの姿勢情報であるｅ，ｆ，ｇ点の３点の姿勢情報の値の推移状況に基づいて、所定時間後のｔ８時点におけるｈ点の姿勢情報の値を算出する。
【００７７】
なお、図６（ａ）に示したｔ３時点からｔ４時点まで、又は図６（ｂ）に示したｔ７時点からｔ８時点までの時間は、長すぎるとビデオカメラ１が非撮影姿勢の状態のときに、通常モードに設定を変更する場合があり、低すぎると低消費電力モードへの設定が遅れてしまう場合がある。そのため、予め提供者等が実測に基づいた適正な値を設定しておく必要がある。
【００７８】
次に、比較部１０Ａは、姿勢予測部１３により算出された姿勢情報の値と、姿勢記憶部９に記憶された姿勢情報の値との差分値が所定の閾値以内であるか否かを判定する（ステップＳ２０９）。
【００７９】
図６（ａ）に示した図においては、Ｘが姿勢情報下限値を示しており、Ｙが姿勢情報上限値を示している。即ち、姿勢予測部１３により算出された姿勢情報の値が、この姿勢情報下限値Ｘと姿勢情報上限値Ｙとの間の値であれば、比較部１０Ａは、姿勢情報の差分値が所定の閾値以内であると判定する。
【００８０】
姿勢予測部１３により算出されたｔ４時点におけるｄ点の姿勢情報の値は、Ｘ〜Ｙの範囲内の値ではないので、比較部１０Ａは、姿勢情報の差分値が所定の閾値を越えていると判定する。
【００８１】
一方、図６（ｂ）に示すように、姿勢予測部１３により算出されたｔ８時点におけるｈ点の姿勢情報の値は、Ｘ〜Ｙの範囲内の値であるので、比較部１０Ａは、姿勢情報の差分値が所定の閾値以内であると判定する。
【００８２】
ここで、この閾値は、高すぎるとビデオカメラ１が非撮影姿勢の状態のときに、通常モードに設定を変更する場合があり、低すぎるとビデオカメラ１が撮影姿勢の状態のときに、低消費電力モードに設定が変更されない場合がある。そのため、予め提供者等が実測に基づいた適正な値を設定しておく。
【００８３】
そして、電源モード切り替え部１１は、ステップＳ２０９において、比較部１０Ａにより姿勢情報の差分値、即ち傾き角の差分値が所定の閾値以内であると判定された場合に、電力供給部６に通常モードを設定する（ステップＳ２１０）。
【００８４】
このように、本発明の実施例２の撮像電子装置が適用されたビデオカメラ１Ａによれば、姿勢予測部１３により所定の時間間隔で算出された姿勢情報と、姿勢記憶部９に記憶された利用者所望の時点における姿勢情報とに基づいて、低消費電力モードから通常モードへ切り替えるので、利用者が撮影しようとする状態、即ち撮影姿勢へ移行している間に、精度良く低消費電力モードから通常モードへ切り替えることができる。
【００８５】
これにより、利用者は、より素早くビデオカメラ１Ａを用いて撮影を開始できるので、通常モードに復旧するまでの間のシーンを取り損なうことなく、利用者所望の映像を撮影することができる。
【実施例３】
【００８６】
本発明の実施例１では、現状の姿勢に基づいて通常モードと低消費電力モードとを切り替える撮像電子装置が適用されたビデオカメラについて説明した。本発明の実施例３では、現状の姿勢に基づいて通常モードと低消費電力モードとを切り替える電子装置が適用された携帯型画像表示装置について説明する。
【００８７】
≪携帯型画像表示装置の構成≫
図７は、本発明の実施例３の電子装置が適用された携帯型画像表示装置の構成を示す構成図である。
【００８８】
図７に示すように、本発明の実施例３の電子装置が適用された携帯型画像表示装置１Ｂは、ディスプレイ１２と、ＭＰＥＧデコーダ１４と、ドライブ５と、電力供給部１５と、姿勢検出部７と、ユーザインタフェース部８と、姿勢記憶部９と、比較部１０と、電源モード切り替え部１１とを備える。
【００８９】
ここで、携帯型画像表示装置１Ｂが備える構成のうち、ドライブ５と、電力供給部６と、姿勢検出部７と、ユーザインタフェース部８と、姿勢記憶部９と、電源モード切り替え部１１とは、それぞれ本発明の実施例１の撮像電子装置が適用されたビデオカメラ１が備えるそれぞれ同一符号が付された構成と同一であるので、説明を省略する。
【００９０】
ディスプレイ１２は、有機ＥＬ（electroluminescence）ディスプレイや、液晶ディスプレイ等の画像出力手段を備え、ＭＰＥＧデコーダ１４から供給された出力信号に基づいて、画像を表示する。
【００９１】
ＭＰＥＧデコーダ１４は、ドライブ５から供給されたデータをデコードし、出力信号としてディスプレイ１２に供給する。
【００９２】
電力供給部１５は、ディスプレイ１２、ＭＰＥＧデコーダ１４、及びドライブ５に、電力を供給する。また、電力供給部１５は、通常モード又は低消費電力モードの設定が可能であり、通常モードが設定されている場合にはディスプレイ１２、ＭＰＥＧデコーダ１４、及びドライブ５が通常動作をするために必要な電力をそれぞれディスプレイ１２、ＭＰＥＧデコーダ１４、及びドライブ５に供給し、低消費電力モードが設定されている場合にはそれぞれディスプレイ１２、ＭＰＥＧデコーダ１４、及びドライブ５に待機電力を供給する。
【００９３】
ここで、通常モードとは、ディスプレイ１２、ＭＰＥＧデコーダ１４、及びドライブ５が通常動作する上で必要な電力を供給するために設定するモードである。そして、例えば、ディスプレイ１２が液晶パネルである場合、バックライトを点灯している状態を通常使用モード、バックライトを点灯していない場合を低消費電力モードとしてもよい。
【００９４】
また、ドライブ５が、回転記憶媒体の書き込み及び読み出し装置である場合、回転記憶媒体を回転駆動している状態を通常使用モード、回転駆動媒体の回転を停止している状態を低消費電力モードとしてもよいし、ドライブ５が、ドライブ５に挿入された記憶媒体に記録された情報を読み出し、ＭＰＥＧデコーダ１４へ供給する状態を通常モードとし、ＭＰＥＧデコーダ１４へ供給していない状態を低消費電力モードとしてもよい。
【００９５】
さらに、ＭＰＥＧデコーダ１４がデコードしている状態を通常モードとし、ＭＰＥＧデコーダ１４がデコードしていない状態を低消費電力モードとしてもよい。
【００９６】
≪携帯型画像表示装置の作用≫
本発明の実施例３の電子装置が適用された携帯型画像表示装置１Ｂの作用については、図２に示した本発明の実施例１の撮像電子装置が適用されたビデオカメラ１の作用と同一であるので、説明を省略する。
【００９７】
本発明の実施例３の電子装置が適用された携帯型画像表示装置１Ｂによれば、姿勢検出器７により所定の時間間隔で生成される姿勢情報と、姿勢記憶部９に記憶された利用者所望の時点での姿勢情報とに基づいて、低消費電力モードから通常モードへ切り替えるので、利用者がディスプレイ１２に表示させようとする状態、即ち鑑賞姿勢を精度良く検出し、低消費電力モードから通常モードへ切り替えることができる。
【００９８】
これにより、携帯型画像表示装置１Ｂが低消費電力モードの状態であっても、利用者が鑑賞しようとする位置に携帯型画像表示装置１Ｂで保持することで、通常電力モードに切り替わるので、利用者は、すぐに映像の鑑賞を開始できる。
【００９９】
なお、本発明の実施例２の撮像電子装置を携帯型画像表示装置に適用し、所定時間後の姿勢を予測し、この予測姿勢に基づいて通常モードと低消費電力モードとを切り替えるようにしてもよい。
【図面の簡単な説明】
【０１００】
【図１】本発明の実施例１の撮像電子装置が適用されたビデオカメラの構成を示す構成図である。
【図２】本発明の実施例１の撮像電子装置が適用されたビデオカメラの処理フローを示したフローチャートである。
【図３】（ａ）は、ビデオカメラの姿勢記憶姿勢及び撮影姿勢を模式的に示した図であり、（ｂ）は、ビデオカメラの非撮影姿勢を模式的に示した図である。
【図４】本発明の実施例２の撮像電子装置が適用されたビデオカメラの構成を示す構成図である。
【図５】本発明の実施例２の撮像電子装置が適用されたビデオカメラの処理フローを示したフローチャートである。
【図６】（ａ），（ｂ）は、姿勢予測部による所定時間後におけるビデオカメラの姿勢情報の値の算出処理を説明した図である。
【図７】本発明の実施例３の電子装置が適用された携帯型画像表示装置の構成を示す構成図である。
【符号の説明】
【０１０１】
１，１Ａ…ビデオカメラ
１Ｂ…携帯型画像表示装置
２…光学レンズ（光学系）（撮影手段）
３…撮像素子部（撮影手段）
４…ＭＰＥＧエンコーダ（撮影手段）
５…ドライブ（撮影手段）
６，１５…電力供給部
７…姿勢検出部
８…ユーザインタフェース部
９…姿勢記憶部
１０，１０Ａ…比較部
１１…電源モード切り替え部
１２…ディスプレイ
１３…姿勢予測部
１４…ＭＰＥＧデコーダ
【図１】
2009246424.tif 000003
【図２】
2009246424.tif 000004
【図３】
2009246424.tif 000005
【図４】
2009246424.tif 000006
【図５】
2009246424.tif 000007
【図６】
2009246424.tif 000008
【図７】
2009246424.tif 000009